(57)【要約】【課題】前面側の空気吸い込み口から吸い込んだ空気が前面側の空気吹き出し口へ流れる空気通路に、熱交換器と、吸い込んだ空気を熱交換器へ送出する送風装置が配置された床置き式空気調和機が冷房運転されるとき、熱交換器で冷却された冷気が前面パネルに衝突し前面パネルの裏側に結露水が発生し、この結露水が流下して下方のフィルタやその他の部分を濡らす問題を解決する。【解決手段】送風装置は空気吸い込み口から吸い込んだ空気の入口と熱交換器へ空気を送出する出口を備えたファンケーシング内にファンが収納された形態であり、ファンケーシングの前面上部と空気調和機の前面パネルの間に、熱交換器から流下する露と前面パネルの裏側を流下する露を受けるようにドレンパンを配置したこと。【選択図】図４
2008175456.tif 000002
【特許請求の範囲】
【請求項１】
空気吸い込み口から吸い込んだ空気が空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記ファンケーシングの前面上部と前記空気調和機の前面パネルの間に、前記熱交換器から流下する露と前記前面パネルの裏側を流下する露を受けるようにドレンパンを配置したことを特徴とする床置き式空気調和機。
【請求項２】
空気調和機本体の前面に配置した前面パネルに空気吸い込み口と空気吹き出し口が形成され、空気吸い込み口から吸い込んだ空気が空気吹き出し口へ流れる空気通路に、空気流入面が下側となるように下部に対して上部が後方へ傾くように傾斜設置した熱交換器と、前記空気吸い込み口から吸い込んだ空気を前記熱交換器へ送出する送風装置が配置され、前記送風装置は前記空気吸い込み口から吸い込んだ空気の入口と前記熱交換器へ空気を送出する出口を備えたファンケーシング内にファンが収納された形態であり、前記ファンケーシングの前面上部と前記前面パネルとの空間に前記熱交換器の下端部の真下配置のドレンパンを設け、前記前面パネルの裏側に付着する露を前記ドレンパンに導く庇部を前記前面パネルの下部から前記ドレンパンの上方に張り出すように形成したことを特徴とする床置き式空気調和機。
【請求項３】
前記前面パネルは前壁の左右端部に後方へ延びた左右側壁を備え、前記ドレンパンは、その前部が前記前面パネルの前壁と左右側壁間で作る空間に進入する状態であることを特徴とする請求項１乃至請求項２のいずれかに記載の床置き式空気調和機。
【請求項４】
空気調和機本体の前面に配置した前面パネルは、空気吸い込み口を形成した下部前面パネルと空気吹き出し口を形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器から流下する露と前記上部前面パネルの裏側を流下する露を受けるドレンパンが、前記下部前面パネルの上端部に進入状態となる位置で前記空気調和機本体に設けられ、前記上部前面パネルを開いた状態で前記ドレンパンの上面開口が前記空気調和機本体の前面に露出する状態に前記空気調和機本体に設けられたことを特徴とする床置き式空気調和機。
【請求項５】
前記前面パネルは、空気吸い込み口を形成した下部前面パネルと空気吹き出し口を形成した上部前面パネルを備え、前記上部前面パネルと前記下部前面パネルは、前壁の左右端部に後方へ延びた左右側壁を備え、上部前面パネルの下端部と前記下部前面パネルの上端部において前記前壁と左右側壁間で作る空間に前記ドレンパンの前部が進入し、前記上部前面パネルを開いた状態で前記ドレンパンが前記空気調和機本体の前面に露出する状態となることを特徴とする請求項１乃至３のいずれかに記載の床置き式空気調和機。
【請求項６】
前記ドレンパンを前記ファンケーシングの上端部に合成樹脂で前記ファンケーシングと共に一体成形したことを特徴とする請求項１乃至請求項５のいずれかに記載の床置き式空気調和機。
【請求項７】
前記空気調和機本体から前方へ突出するように、前記ドレンパンの下方空間に電装ボックスを配置したことを特徴とする請求項１乃至請求項６のいずれかに記載の床置き式空気調和機。
【発明の詳細な説明】
【技術分野】
【０００１】
本発明は、空気吸い込み口から吸い込んだ空気が空気吹き出し口へ流れる空気通路に、熱交換器と、前記空気吸い込み口から吸い込んだ空気を前記熱交換器へ送出する送風機が配置された床置き式空気調和機に関する。
【背景技術】
【０００２】
床置き式空気調和機の本体の前面パネルの下部に設けられた吸込グリル、この吸込グリルに空気吸込口を臨ませて本体内に設けたケーシング、このケーシング内に設けたシロッコファン（ケーシングとシロッコファンとファンモータで送風機を構成）、送風機の吹出口の上方に下部に対して上部が後方へ傾くように傾斜設置した熱交換器、熱交換器で冷媒と熱交換した空気を室内に向けて送出するために本体の前面上部に設けられた吹出口、及び熱交換器から流下する結露水を受けるように熱交換器の下端部の真下でケーシングの前面上部と前面パネルとの間に設けたドレンパンを備えた床置き式空気調和機がある。（例えば、特許文献１参照）。
【特許文献１】特開平８−２００７２５号公報
【発明の開示】
【発明が解決しようとする課題】
【０００３】
特許文献１のものでは、吸込グリルの裏側に３０〜５０ｍｍの厚さの波形状に曲げたロングライフフィルタを取り付け使用できるように、スペースを確保するために考案されたものである。
【０００４】
このため、熱交換器から流下する結露水を受けるドレンパンは、ケーシングの前面上部と前面パネルとの間に配置され、ドレンパンの前面が床置き式空気調和機の本体の左右の側面パネルの前端の折り曲げ部（フランジ部）の裏面に当接し、ドレンパンは前面パネルから若干離れた状態である。また、吸込グリルは、この左右の側面パネルの前端の折り曲げ部（フランジ部）の前面に当接する。これによって、ドレンパンの奥行寸法分、吸込グリルとケーシングの前面の間にスペースが生じ、このスペースにロングライフフィルタが吸込グリルに接するように配設される構成である。この構成によって、ロングライフフィルタの使用が可能となり、熱交換器から流下する結露水はドレンパンで受けることができるものとなる。
【０００５】
しかし、この床置き式空気調和機が冷房運転されるときには、熱交換器で冷却された冷気が前面パネルに衝突し、前面パネルの裏側に結露水が発生し、この結露水が流下して、下方のフィルタやその他の部分を濡らし、また、床置き式空気調和機が設置された床面を濡らすことがある。断熱のために前面パネルの裏側に断熱材を貼った場合でも、この断熱材の裏面に結露水が発生し、同様の状況が発生する場合がある。
【０００６】
本発明は、このような点に鑑み、前面パネルの裏側に発生する結露水も、熱交換器から流下する結露水を受けるドレンパンで受けるように構成して、上記のような問題を解決するものである。
【０００７】
また、本発明では、組み立てのし易さやレンパンの取り付けの便利さを考慮して、ファンケーシングと共に合成樹脂で一体成形する。更に、ドレンパンの下方空間に電装ボックスを配置して空間の有効利用と電装ボックスの防水効果を図るものである。
【課題を解決するための手段】
【０００８】
第１の発明の床置き式空気調和機は、空気吸い込み口から吸い込んだ空気が空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記ファンケーシングの前面上部と前記空気調和機の前面パネルの間に、前記熱交換器から流下する露と前記前面パネルの裏側を流下する露を受けるようにドレンパンを配置したことを特徴とする。
【０００９】
第２の発明の床置き式空気調和機は、空気調和機本体の前面に配置した前面パネルに空気吸い込み口と空気吹き出し口が形成され、空気吸い込み口から吸い込んだ空気が空気吹き出し口へ流れる空気通路に、空気流入面が下側となるように下部に対して上部が後方へ傾くように傾斜設置した熱交換器と、前記空気吸い込み口から吸い込んだ空気を前記熱交換器へ送出する送風装置が配置され、前記送風装置は前記空気吸い込み口から吸い込んだ空気の入口と前記熱交換器へ空気を送出する出口を備えたファンケーシング内にファンが収納された形態であり、前記ファンケーシングの前面上部と前記前面パネルとの空間に前記熱交換器の下端部の真下配置のドレンパンを設け、前記前面パネルの裏側に付着する露を前記ドレンパンに導く庇部を前記前面パネルの下部から前記ドレンパンの上方に張り出すように形成したことを特徴とする。
【００１０】
第３の発明の床置き式空気調和機は、第１発明または第２発明において、前記前面パネルは前壁の左右端部に後方へ延びた左右側壁を備え、前記ドレンパンは、その前部が前記前面パネルの前壁と左右側壁間で作る空間に進入する状態であることを特徴とする。
【００１１】
第４の発明の床置き式空気調和機は、空気調和機本体の前面に配置した前面パネルは、空気吸い込み口を形成した下部前面パネルと空気吹き出し口を形成した上部前面パネルを備え、前記空気吸い込み口から前記空気吹き出し口へ連通するよう前記空気調和機本体内に形成した空気通路には、前記下部前面パネルの後方に送風装置が配置され、前記上部前面パネルの後方に熱交換器が配置され、前記送風装置は空気の入口を前面に備え空気の出口を上面に備えたファンケーシング内にモータで駆動されるシロッコファンが収納された形態であり、前記熱交換器は空気流入面が前記ファンケーシングの空気の出口の上方に斜めに相対面するよう下部に対して上部が後方へ傾く傾斜設置であり、前記熱交換器から流下する露と前記上部前面パネルの裏側を流下する露を受けるドレンパンが、前記下部前面パネルの上端部に進入状態となる位置で前記空気調和機本体に設けられ、前記上部前面パネルを開いた状態で前記ドレンパンの上面開口が前記空気調和機本体の前面に露出する状態に前記空気調和機本体に設けられたことを特徴とする。
【００１２】
第５発明の床置き式空気調和機は、第１乃至第３発明において、前記前面パネルは、空気吸い込み口を形成した下部前面パネルと空気吹き出し口を形成した上部前面パネルを備え、前記上部前面パネルと前記下部前面パネルは、前壁の左右端部に後方へ延びた左右側壁を備え、上部前面パネルの下端部と前記下部前面パネルの上端部において前記前壁と左右側壁間で作る空間に前記ドレンパンの前部が進入し、前記上部前面パネルを開いた状態で前記ドレンパンが前記空気調和機本体の前面に露出する状態となることを特徴とする。
【００１３】
第６の発明の床置き式空気調和機は、第１乃至第５発明において、前記ドレンパンを前記ファンケーシングの上端部に合成樹脂で前記ファンケーシングと共に一体成形したことを特徴とする。
【００１４】
第７の発明の床置き式空気調和機は、第１乃至第６発明において、前記空気調和機本体から前方へ突出するように、前記ドレンパンの下方空間に電装ボックスを配置したことを特徴とする。
【発明の効果】
【００１５】
第１の発明は、前記ファンケーシングの前面上部と前記空気調和機の前面パネルの間に配置したドレンパンによって、熱交換器から流下する露と空気調和機の前面パネルの裏側を流下する露を受けるため、前面パネルの裏側の結露水が流下して、下方のフィルタやその他の部分を濡らすことや、床置き式空気調和機が設置された床面を濡らすこともない。また、断熱のために前面パネルの裏側に断熱材を貼った場合でも、この断熱材の裏面に発生する結露水もドレンパンで受けるため、同様の効果を奏することができる。
【００１６】
第２の発明では、前面パネルの裏側に付着する露は、前面パネルの下部において庇部によってドレンパンへ導くことができるため、より的確に第１の発明の効果同様の効果を奏することができる。
【００１７】
第３の発明では、第１発明または第２発明の効果に加えて、ドレンパンは、その前部が前面パネルの前壁と左右側壁間で作る空間に進入する状態であるため、前面パネルを開いたとき、ドレンパン内の点検や清掃等を行ない易くなる。
【００１８】
第４の発明では、熱交換器から流下する露と上部前面パネルの裏側を流下する露を受けるドレンパンが、空気吸い込み口を形成した下部前面パネルの上端部に進入状態となる位置で空気調和機本体に設けられるため、空気吹き出し口を形成した上部前面パネルを開いた状態で、ドレンパンの上面開口が空気調和機本体の前面に露出することとなり、第１発明の効果に加えて、ドレンパン内の点検や清掃等を行ない易くなる。
【００１９】
第５の発明では、上部前面パネルの下端部と下部前面パネルの上端部において、各前面パネルの前壁と左右側壁間で作る空間にドレンパンの前部が進入する状態であるため、上部前面パネルを開いた状態でドレンパンが空気調和機本体の前面に露出する状態となり、第１発明の効果に加えて、ドレンパン内の点検や清掃等を行ない易くなる。
【００２０】
ファンケーシングとドレンパンが別体構成の場合には、ファンケーシングの上端部にドレンパンをネジ止めする作業や、そのネジ止め部の補強が必要である等の対策が必要であるが、第６の発明では、ドレンパンをファンケーシングの上端部に合成樹脂でファンケーシングと共に一体成形したことにより、そのような問題が解決でき、第１乃至第５発明の効果に加えて、ファンケーシングを空気調和機本体に取り付けることによって、ドレンパンの位置が定まり、所定位置へのドレンパンの配置が簡単に行なえるものとなり、組み立て作業も簡素化されるものとなる。
【００２１】
第７の発明では、第１乃至第６発明の効果に加えて、ドレンパンの下方空間に電装ボックスを配置したことにより、ドレンパンの下方空間の有効利用ができると共に、電装ボックスは、空気調和機本体から前方へ突出するため、前面パネルを開いた状態で、電装ボックスへの配線作業や電装ボックス内の点検等がし易くなる。また、例え上方から落下する露があっても、ドレンパンで受け止めるため、電気的な安全確保の点でも好ましいものとなる。
【発明を実施するための最良の形態】
【００２２】
本発明の床置き式空気調和機は、空気吸い込み口から吸い込んだ空気が空気吹き出し口へ流れる空気通路に、空気流入面が下側となるように下部に対して上部が後方へ傾くように傾斜設置した熱交換器と、前記空気吸い込み口から吸い込んだ空気を前記熱交換器の空気流入面へ送出する送風装置が配置され、前記送風装置は前記空気吸い込み口から吸い込んだ空気の入口と前記熱交換器へ空気を送出する出口を備えたファンケーシング内にファンが収納された形態であり、前記ファンケーシングの前面上部と前記空気調和機の前面パネルの間に、前記熱交換器から流下する露と前記空気調和機の前面パネルの裏側を流下する露を受けるようにドレンパンを配置したものであり、以下に本発明の実施形態を記載する。
【実施例１】
【００２３】
次に、本発明の第１の実施形態について説明する。図１は本発明に係る床置き式空気調和機の正面図、図２は本発明に係る床置き式空気調和機と室外機の関係を示す斜視図、図３は本発明に係る床置き式空気調和機の空気吸い込み口と空気吹き出し口に設けた開閉フラップが開いた状態の説明用正面斜視図、図４は図１のＡ−Ａ箇所の断面図、図５は本発明に係る前面パネルを取り外した状態の空気調和機本体の前面斜視図、図６は本発明に係る床置き式空気調和機の下部前面パネルを開いた状態の空気調和機の前面斜視図、図７は本発明に係る床置き式空気調和機の送風装置と前面パネルの関係を示す背面斜視図、図８は図１のＢ−Ｂ箇所の断面拡大図、図９は本発明に係る床置き式空気調和機のドレンパン部分を説明する縦断側面図である。
【００２４】
図において、本発明に係る床置き式空気調和機１は、室内の床に設置されるタイプであり、冷媒の圧縮機と凝縮器とこれらの熱交換用送風機５１等を収納した室外機５０とで一組の分離型空気調和装置を構成するものであり、空気調和機１と室外機５０とは、空気調和機本体２の側面の一方の孔１Ａを通って、電気配線５３と断熱材で覆われた冷媒配管５２とで連結された状態である。孔１Ａは空気調和機本体２の左右側面に形成されており、いずれかを選択できるようになっている。空気調和機１は、空気吸い込み口３から吸い込んだ空気が空気吹き出し口４へ流れる空気通路に、空気流入面が下側となるように下部に対して上部が後方へ傾くように傾斜設置した熱交換器５と、空気吸い込み口３から吸い込んだ空気を熱交換器５の空気流入面へ送出する送風装置６が配置され、送風装置６は空気吸い込み口３から吸い込んだ空気の入口７と熱交換器５へ空気を送出する出口８を備えたファンケーシング９内にファン１０が収納された形態である。空気調和機本体２には、熱交換器５の下端部がドレンパン２５の上面開口に臨むように、熱交換器５の下端部の真下にドレンパン２５が配置され、熱交換器５から流下する露をドレンパン２５で受ける。
【００２５】
以下に、空気調和機１を具体的に説明する。空気調和機１は、前面開口２Ａの空気調和機本体２と、空気調和機本体２に取り付けた前面パネル１１によって空気調和機本体２の前面開口２Ａを覆った、縦長形状をなしている。前面パネル１１に空気吸い込み口３と空気吹き出し口４が形成されているが、前面パネル１１は、空気吸い込み口３が斜め前方に向いた左右側面に縦長に形成された下部前面パネル１１Ａと、空気吹き出し口４が斜め前方に向いた左右側面と斜め前方に向いた上側面に形成された上部前面パネル１１Ｂで構成されている。下部前面パネル１１Ａは、前壁１１Ａ１と、その左右端部に後方へ向けて延びた斜め前方に向いた左右側壁１１Ａ２を一体成形した合成樹脂の成形体である。また、上部前面パネル１１Ｂは、上壁と、前壁１１Ｂ１と、その左右端部に後方へ向けて延びた斜め前方に向いた左右側壁１１Ｂ２を一体成形した合成樹脂の成形体である。
【００２６】
下部前面パネル１１Ａには、電動モータ１５で駆動される吸い込み口フラップ１６によって各空気吸い込み口３を開閉するフラップ機構を設けている。吸い込み口フラップ１６は、空気吸い込み口３を塞ぐ大きさの長尺形状の板状をなし、吸い込み口フラップ１６の両端部は、空気吸い込み口３の長さ方向軸部２３によって回動可能に支持され、その一方の軸部２３が電動モータ１５で駆動される仕組みである。図２、図３に示すように、軸部２３が空気吸い込み口３の前部に位置しており、吸い込み口フラップ１６は、空気吸い込み口３の前部において左右に開く。このため、左右の空気吸い込み口３から吸い込む空気は、吸い込み口フラップ１６によって横と後方から吸い込まれ、前方からに吸い込みが制限される構成である。このため、空気調和機１の電源が入った状態において、空気調和機１を使う人によって操作されるリモートコントローラ６０等の操作部に設けられた空気調和機１の運転開始スイッチの操作に基づき、吸い込み口フラップ１６が開く。そして、この操作部に設けられた空気調和機１の運転停止スイッチの操作に基づき、吸い込み口フラップ１６が閉じる動作をする。なお、吸い込み口フラップ１６の後方で空気吸い込み口３の裏側には、空気中の塵埃を捕捉するフィルタ３Ｆが着脱自在に取り付けられている。
【００２７】
また、上部前面パネル１１Ｂには、電動モータ１８で駆動される吹き出し口フラップ１９によって各空気吹き出し口４を開閉するフラップ機構を設けている。吹き出し口フラップ１９は、空気吹き出し口４を塞ぐ大きさの長尺形状の板状をなし、吹き出し口フラップ１９の両端部は、空気吹き出し口４の長さ方向軸部２４によって回動可能に支持されており、その一方の軸部２４が電動モータ１８で駆動される仕組みである。左右の空気吹き出し口４においては、図２、図３に示すように、軸部２４が空気吹き出し口４の後部に位置しており、吹き出し口フラップ１９は、空気吹き出し口４の後部において斜め前方へ広がるように左右に開く。このため、左右の空気吹き出し口４から吹き出す空気は、吹き出し口フラップ１９によって後方へ吹き出すことが制限され、前方へ指向されるようになる。
【００２８】
また、上部の空気吹き出し口４においては、一方の軸部２４側においてリンク機構２４Ａを介して電動モータ１８で駆動される仕組みであり、図２、図３に示すように、軸部２４が空気吹き出し口４の後部に位置しており、吹き出し口フラップ１９は、空気吹き出し口４の後部において斜め前方へ広がるように上方に開く。このため、上部の空気吹き出し口４から吹き出す空気は、吹き出し口フラップ１９によって後方へ吹き出すことが制限され、前方へ指向されるようになる。
【００２９】
このような動作は、空気調和機１の電源が入った状態において、前記リモートコントローラ６０等の操作部に設けられた空気調和機１の運転開始スイッチの操作に基づき、制御部３０Ａによって吹き出し口フラップ１９が開く。そして、この操作部に設けられた空気調和機１の運転停止スイッチの操作に基づき、制御部３０Ａによって吹き出し口フラップ１９が閉じる動作をする。
【００３０】
また、左右の空気吹き出し口４には、吹き出し口フラップ１９の内側にあって、電動モータ１７で駆動される吹き出し方向可変フラップ２０によって、空気の吹き出し方向を上下に変更するフラップ機構を設けている。フラップ２０は、左右の空気吹き出し口４の縦方向に略等間隔に配置した複数の板状フラップ（図では６枚）で構成され、各フラップ２０は、上部前面パネル１１Ｂに水平方向軸２１によって回動可能に支持された状態で、一端部を縦方向連結棒２２で連結されている。そして、電動モータ１７によって縦方向連結棒２２を上下方向に駆動することによって（例えば、フラップ２０の一つを駆動することによって縦方向連結棒２２を上下方向に駆動する）、各フラップ２０は、空気の吹き出し方向を上下に変更する。
【００３１】
各フラップ２０の駆動について説明する。空気調和機１の電源が入った状態において、前記リモートコントローラ６０等の操作部に設けられた空気調和機１の運転開始スイッチが操作されると、制御部３０Ａによって、電動モータ１２、室外機５０の圧縮機と熱交換用送風機５１等が始動して、空気調和機１が運転を開始する。この状態で各フラップ２０は略水平状態である。この状態において、風向スイッチを１回操作するごとに、制御部３０Ａによって、電動モータ１７が所定回転して、各フラップ２０が上方または下方に回動して、空気の吹き出し方向を上方、水平、下方に変更できる。
【００３２】
これは例えば次のような動作によって達成される。即ち、風向スイッチを１回ＯＮ操作すると、電動モータ１７が所定回転して、各フラップ２０が上方へ１ステップ動作して、空気の吹き出し方向を上向きとする。次に風向スイッチを１回ＯＮ操作すると、電動モータ１７が所定回転して、各フラップ２０が下方へ１ステップ動作して、空気の吹き出し方向を略水平状態にする。次に風向スイッチを１回ＯＮ操作すると、電動モータ１７が所定回転して、各フラップ２０が下方へ１ステップ動作し、空気の吹き出し方向を下向きとする。更に風向スイッチを１回ＯＮ操作すると、電動モータ１７が所定回転して、各フラップ２０が上方へ１ステップ動作して、空気の吹き出し方向を略水平状態にする。このように風向スイッチのＯＮ操作ごとに風向を変更できる。
【００３３】
なお、前記リモートコントローラ６０等の操作部に、自動風向スイッチを設け、この自動風向スイッチをＯＮすることによって、制御部３０Ａによって、電動モータ１７が正方向回転と逆方向回転を繰り返して、各フラップ２０が上下方向に連続可動する状態に構成することもできる。この場合は、空気の吹出し方向が自動的に上下方向に変動することとなる。前記風向スイッチと前記自動風向スイッチは、別個に配置してもよいが、一体化して、手動風向と自動風向の各操作部を前記リモートコントローラ６０等の操作部に設けた構成でもよい。
【００３４】
なお、空気調和機１が運転を開始する時点での各フラップ２０の設定状態は、冷房運転と暖房運転において異なる状態とすることもできる。例えば、冷房運転の場合は略水平状態とし、暖房運転の場合は下向き状態となるように設定しておくこともできる。
【００３５】
空気吸い込み口３から空気吹き出し口４へ連通するように、空気調和機本体２内に形成した空気通路には、下部前面パネル１１Ａの後方に送風装置６が配置され、上部前面パネル１１Ｂの後方には熱交換器５が配置される。送風装置６は、空気の入口７を前面に備え空気の出口８を上面に備えたファンケーシング９内に、電動モータ１２で駆動されるシロッコファン１０が収納された形態である。シロッコファン１０は、仕切り坂１０Ａの周縁部に多数の羽根１０Ｂが等間隔で円形状に配置された周知の形態であり、回転によって前面開口から空気を吸い込み、多数の羽根１０Ｂの間隔から周辺へ吐出する。電動モータ１２はシロッコファン１０内に入り込むように、仕切り板１０Ａの中央部が前方へ窪んでおり、この窪みに位置する状態で、仕切り板１０Ａの中心に電動モータ１２の回転軸に結合された形態である。
【００３６】
ファンケーシング９は、空気の入口７を形成した前壁とその左右から延びた左右側壁を備えて背面が開口した形態である。電動モータ１２は、取り付けネジ１４によって空気調和機本体２の背壁２Ｂの所定位置へ取り付けられ、この状態で、ファンケーシング９を、その背面開口を塞ぐように空気調和機本体２の背壁２Ｂの所定位置に、断熱材５６を介して取り付けネジ１３によって取り付ける。この取り付けによって、シロッコファン１０の前面開口が空気の入口７に対向する。シロッコファン１０は、回転によって、その前面開口が空気の入口７から空気を吸い込み、多数の羽根１０Ｂの間隔から周辺へ空気を吐出し、この吐出された空気は、ファンケーシング９の形状に沿って上方の空気の出口８から上方へ送出される。なお、空気調和機本体２の背壁２Ｂの内面と左右側壁の内面の略全体に亘って断熱材５６、５７が貼着されている。
【００３７】
図４に示すように、熱交換器５は、略等間隔に並列の縦長のアルミニウム製の板状フィン５Ａを冷媒パイプ５Ｂが貫通する形態であり、熱交換器５は、空気流入面がファンケーシング９の空気の出口８の上方で出口８に斜めに相対面するように、下部に対して上部が後方へ傾く傾斜設置であり、上部が空気調和機本体２の背壁２Ｂに近接または当接し、下部が空気調和機本体２の前面開口２Ａに近接するように傾斜設置である。そして、熱交換器５は、左右幅が空気調和機本体２の左右側壁近傍まで達する大きさであり、正面投影状態では、上部前面パネル１１Ｂの略全域に亘る大きさである。この構成は、熱交換面積を広く得るためである。
【００３８】
送風装置６の空気の出口８から上方へ送出される空気が、熱交換器５の空気流入面に広く供給されるようにするために、ファンケーシング９の空気の出口８の左右幅は、略熱交換器５の左右幅に近い寸法を形成している。
【００３９】
ファンケーシング９の前方において、空気調和機本体２の前面開口２Ａの左右部に渡る取り付け板２９に電装ボックス３０が取り付けられている。電装ボックス３０内には、空気調和機１の電源部やプリント基板等の電気部品を含む制御部３０Ａが収納されている。このため、図５等に示すように、電装ボックス３０は、空気調和機本体２から前方へ突出状態に設けられている。
【００４０】
上部前面パネル１１Ｂの前壁１１Ｂ１の前面には、空気調和機１の運転状態等をＬＥＤで表示する表示部や、リモートコントローラ６０からの赤外線信号の受信部等を備えた制御パネル部２８が設けられている。制御パネル部２８に対応して上部前面パネル１１Ｂの前壁１１Ｂ１の裏面下部には、ケースに収納されて制御部３０Ａに電気接続された制御部２７が取り付けられている。なお、リモートコントローラ６０に替わって、またはリモートコントローラ６０と併用にて、制御部３０Ａの動作を操作する操作部を制御パネル部２８に併設してもよい。制御部３０Ａの動作は、前記リモートコントローラ６０またはリモートコントローラ６０に替わる前記操作部の操作に基づき行われ、制御部３０Ａによって空気調和機１の運転制御を行う。
【００４１】
上部前面パネル１１Ｂの前壁１１Ｂ１の裏面には、熱交換器５を通過した空気が衝突した後、主として左右と上方へ分流して、それぞれ左右の空気吹き出し口４と上部の空気吹き出し口４から吐出されるため、空気調和機１が冷房運転の場合は、上部前面パネル１１Ｂの前壁１１Ｂ１が冷却されて、その前面や裏面に結露が生じる虞がある。これを防止するために前壁１１Ｂ１の裏面に発泡スチロール等の断熱材２６を貼着している。
【００４２】
しかし、湿度の多い環境において空気調和機１が冷房運転される場合は、断熱材２６の表面に結露が生じる虞がある。この露は、下方へ流れて下部前面パネル１１Ａ後方に配置した電装ボックス３０やその他の部分を濡らし、漏電の危険等が伴う。また、下方へ流れて空気調和機１が設置された床面を濡らすことも憂慮される。
【００４３】
本発明は、このような結露による弊害を防止するために、ファンケーシング９の前面上部と空気調和機１の前面パネル１１の間には、熱交換器５から流下する露を受けるドレンパン２５を空気調和機本体２に設けているが、このドレンパン２５を前方まで延ばして、前面パネル１１の裏側を流下する露を受けるように構成している。前面パネル１１は、前壁の左右端部に後方へ延びた左右側壁を備え、ドレンパン２５は、その前部が前面パネル１１の前壁と左右側壁間で作る空間に進入して、前面パネル１１の裏側を流下する露を受ける状態である。
【００４４】
これを具体的に説明すると、前面パネル１１が図示のように、上下に分割された下部前面パネル１１Ａと上部前面パネル１１Ｂで構成されている場合は、下部前面パネル１１Ａと上部前面パネル１１Ｂは、それぞれ前壁の左右端部に後方へ延びた左右側壁を備えている。下部前面パネル１１Ａは、前壁１１Ａ１が装飾面を呈し、この左右側壁に空気吸い込み口３を形成し、上部前面パネル１１Ｂは、前壁１１Ｂ１が装飾面を呈し、この左右側壁１１Ｂ２に空気吹き出し口４を形成している。また、上部前面パネル１１Ｂは、上壁に上部の空気吹き出し口４を形成している。
【００４５】
そして、図９に示すように、ドレンパン２５は、電装ボックス３０の上方にあって、下部前面パネル１１Ａの上端部に位置して、その前部が下部前面パネル１１Ａの前壁１１Ａ１と左右側壁１１Ａ２間で作る空間に進入するように、前方へ延びた状態である。上部前面パネル１１Ｂの裏側に付着する露をドレンパン２５に導くために、庇部３１が上部前面パネル１１Ｂの下部からドレンパン２５の上方に張り出すように形成されている。この庇部３１は、上部前面パネル１１Ｂの前壁１１Ｂ１の下端の折り曲げ、または前壁１１Ｂ１に取り付けによって形成され、略上部前面パネル１１Ｂの前壁１１Ｂ１と左右側壁１１Ｂ２に亘る範囲に設けられている。
【００４６】
この構成によって、ドレンパン２５の下方空間に電装ボックス３０が配置されるため、上部前面パネル１１Ｂの裏側を流下または落下する露は、ドレンパン２５で受け止めることができるため、上記のような懸念は解決する。ドレンパン２５の下面には、断熱のために断熱材５９を貼付しており、ドレンパン２５の下面への露つきを防止している。また、ドレンパン２５の左右側壁は、空気調和機本体２の左右側壁に当接しているため、断熱のために断熱材５８が貼着されている。
【００４７】
下部前面パネル１１Ａは、送風装置６や電装ボックス３０の点検、修理、配線等を行ない易くするため、及び空気吸い込み口３の裏側に取り付けたフィルタ３Ｆの清掃や交換を行ない易くするために、空気調和機本体２に容易に取り外し可能な取り付け、または空気調和機本体２に開閉可能に支持されている。図示の形態では、下部前面パネル１１Ａは、その一側端が上下のヒンジ機構３３によって空気調和機本体２に開閉可能に支持されている。なお、図３に示すように、空気調和機本体２内の底部に換気ユニット５５を設置した場合には、下部前面パネル１１Ａを開いた状態で、換気ユニット５５の点検や組み込まれたフィルタの交換や清掃を行なうことができる。
【００４８】
しかし、上部前面パネル１１Ｂは、熱交換器５と通過した空気が衝突した後、主として左右と上方へ分流させる役目をするため、空気通路の一部分を構成しているため、空気調和機本体２に所定の位置でネジでの固定、係止爪の係止等によって取り付けられており、頻繁に取り外しまたは開閉する構成ではないが、熱交換器５の点検等を行なう場合は、そのネジ等を外して空気調和機本体２から取り外し可能である。図示のものは、上部前面パネル１１Ｂの左右側壁１１Ｂ２から後方へ延びた複数の係止爪１１Ｂ３が、空気調和機本体２の前面開口の左右フランジに形成した係止孔２Ａ１に挿入されてその下端に係止することによって、上部前面パネル１１Ｂが空気調和機本体２の前面開口の所定位置に取り付けられる構成である。
【００４９】
上記のように、ドレンパン２５は、電装ボックス３０の上方にあって、下部前面パネル１１Ａの上端部に位置して、その前部が下部前面パネル１１Ａの前壁１１Ａ１と左右側壁１１Ａ２間で作る空間に進入するように、前方へ延びた状態である。このため、上部前面パネル１１Ｂを開いた状態（取り外した状態と開閉にて開いた状態のいずれも含む）で、ドレンパン２５の上面開口が空気調和機本体２の前面に露出する状態になるので、空気調和機本体２の前面からドレンパン２５の点検や清掃等を行い易い構成となっている。
【００５０】
部品数の削減や組み立てのし易さ等を考慮して、ドレンパン２５は、ファンケーシング９の上端部にファンケーシング９と一体に設けている。この場合、ファンケーシング９とドレンパン２５は、金属製で構成して一体化することもできるが、製造のし易さとして、ドレンパン２５は、ファンケーシング９の上端部に、合成樹脂製のファンケーシング９の成形と共に一体成形している。ドレンパン２５の上面開口には、熱交換器５の下端部が対向し、熱交換器５の下端部に取り付けた支持部材３２がドレンパン２５内に進入して、熱交換器５に付着する露がドレンパン２５内に流入する仕組みである。ドレンパン２５内に集められた露は、ドレンパン２５の一側部に設けた排水孔２５Ａに接続された排水パイプ（図示せず）から、空気調和機本体２の側面の孔１Ａを通って屋外に排水される。ファンケーシング９の空気出口８へ露つきが生じないようにするために、支持部材３２の後部でドレンパン２５の後壁には、吸水性のない独立気泡の発泡断熱材６９が設けられている。
【実施例２】
【００５１】
次に、本発明の第２の実施形態について説明する。図１０は本発明に係る床置き式空気調和機の正面斜視図、図１１は本発明に係る床置き式空気調和機の下部前面パネルを開いた状態の前面斜視図、図１２は本発明に係る床置き式空気調和機の上部前面パネルの断熱材を外した状態の背面斜視図、図１３は本発明に係る床置き式空気調和機の空気吹き出し口のフラップ構成を示す背面斜視図、図１４は図１０のＣ−Ｃ箇所の縦断側面図、図１５は本発明に係る床置き式空気調和機の送風装置と前面パネルの関係を示す背面斜視図、図１６は図１０のＤ−Ｄ箇所の断面拡大図、図１７は本発明に係る床置き式空気調和機のドレンパン部分を説明する縦断側面図である。
【００５２】
図において、実施例１と同等機能部分には同一符号を付しており、その説明は実施例１と同等であるため省略する。実施例２が実施例１と主として異なる部分は、空気吹き出し口が上部前面パネル１１Ｂの前壁１１Ｂ１に形成されている点と、ドレンパン２５が、上部前面パネル１１Ｂの下端部と下部前面パネル１１Ａの上端部の空間に進入した形態である。具体的には、上部前面パネル１１Ｂの下端部と下部前面パネル１１Ａの上端部に対応して、ドレンパン２５の前部が、各前壁１１Ｂ１、１１Ａ１と左右側壁１１Ｂ２、１１Ａ２間で作る空間に進入し、上部前面パネル１１Ｂを開いた状態でドレンパン２５が空気調和機本体２の前面に露出する状態となる構成である。
【００５３】
これを図に基づき説明する。上部前面パネル１１Ｂの前壁１１Ｂ１の上部には、空気吹き出し口４Ａが略矩形状に形成され、空気吹き出し口４Ａには、後部に複数枚の縦フラップ３５が横に並列配置され、その前部に複数枚の横フラップ３６が縦に並列配置されている。縦フラップ３５は上下端部が軸３７によって支持され、第３電動モータ４０の駆動によって左右方向に向きが変更できる構成である。また、横フラップ３６は、上下に２分割された２組構成であり、上の組の複数の横フラップ３６Ａは、電動モータ３８によって上下方向に向きが変更される仕組みであり、また下の組の複数の横フラップ３６Ｂは、電動モータ３９によって上下方向に向きが変更される仕組みである。
【００５４】
縦フラップ３５は、空気吹き出し口４Ａから吹き出す空気の向きを、左右方向に変える作用をするものであり、上下端部の縦方向軸３７が支持枠４５の上下辺に回動可能に支持されていて、第３電動モータ４０の駆動に伴って、リンク機構４１を介して、左右方向に向きが変更できる作動構成である。
【００５５】
各縦フラップ３５は、上下端部から上下に延びる縦方向軸３７が、支持枠４５に回動可能に支持されていて、支持枠４５に取り付けた第３電動モータ４０によって、全ての縦フラップ３５が同時に同じ方向に回動するように、リンク機構４１を備えている。この構成の実施例として図示した構成は、一つの縦フラップ３５（図１２、図１３では最右端の縦フラップ３５）の縦方向軸３７が第３電動モータ４０によって回動されるとき、他の全ての縦フラップ３５が同様に回動するために、全ての縦フラップ３５には、縦方向軸３７から所定の半径に形成した突起部が回動可能に嵌合する作動板４１Ｂによって、各縦フラップ３５が連結された構成である。
【００５６】
これによって、リモートコントローラ６０の左右風向スイッチの操作によって、第３電動モータ４０が正回転と逆回転を行うことによって、一つの縦フラップ３５が左右に回動し、この回動に伴ってリンク機構４１を介して、他の全ての縦フラップ３５も同様に左右に回動する。
【００５７】
横フラップ３６は、空気吹き出し口４Ａから吹き出す空気の向きを、上下方向に変える作用をするものであり、それぞれ左右端部から中心軸線上を横へ延びる横方向軸４４が、支持枠４５の左右辺に回動可能に支持されていて、空気吹き出し口４Ａを上下に略２等分するように、分割された２組構成である。
【００５８】
上の組の複数（図では３枚）の横フラップ３６Ａは、支持枠４５に取り付けた第１電動モータ３８の駆動に伴って、リンク機構４２を介して、上下方向に向きが変更できる作動構成である。この構成の実施例として図示した構成は、一つの横フラップ３６Ａの横方向軸４４（図示のものは上から２番目の横フラップ３６Ａの横方向軸４４）が、第１電動モータ３８によって回動されるとき、他の全ての横フラップ３６Ａが同様に回動するようにするために、各横フラップ３６Ａは、第１電動モータ３８の反対側の横方向軸４４に、水平方向に突出する突起部４２Ａ１を備えた作動腕４２Ａが略直角に取り付けられ、この各突起部４２Ａ１が回動可能に嵌合する嵌合部（孔または軸受け部）４２Ｂ１を形成した作動板４２Ｂによって、各横フラップ３６Ａが連結された構成である。
【００５９】
これによって、第１電動モータ３８が正回転と逆回転を行うことによって、一つの横フラップ３６Ａが上下に回動し、この回動に伴ってリンク機構４２を介して、他の全ての横フラップ３６Ａも同様に上下に回動する。
【００６０】
また、下の組も上の組と同様の構成であり、下の組の複数（図では３枚）の横フラップ３６Ｂは、支持枠４５に取り付けた第２電動モータ３９の駆動に伴って、リンク機構４３を介して、上下方向に向きが変更できる作動構成である。この構成の実施例として図示した構成は、一つの横フラップ３６Ｂの横方向軸４４（図示のものは下から２番目の横フラップ３６Ｂの横方向軸４４）が、第２電動モータ３９によって回動されるとき、他の全ての横フラップ３６Ｂが同様に回動するようにするために、各横フラップ３６Ｂは、第２電動モータ３９の反対側の横方向軸４４に、水平方向に突出する突起部４３Ａ１を備えた作動腕４３Ａが略直角に取り付けられ、この各突起部４３Ａ１が回動可能に嵌合する嵌合部（孔または軸受け部）４３Ｂ１を形成した作動板４３Ｂによって、各横フラップ３６Ｂが連結された構成である。
【００６１】
これによって、第２電動モータ３９が正回転と逆回転を行うことによって、一つの横フラップ３６Ｂが上下に回動し、この回動に伴ってリンク機構４３を介して、他の全ての横フラップ３６Ｂも同様に上下に回動する。
【００６２】
なお、各横フラップ３６Ａ、３６Ｂが、比較的薄い合成樹脂製の板状の場合には、中間部が下方へ弛むことがある。これの防止のための工夫として、支持枠４５の上下辺の中間部に、上下方向に取り付けた中間支持部材４６を設け、この中間支持部材４６に中間支持部を設けている。実施例では、この中間支持部の構成として、中間支持部材４６は、横方向軸４４と同軸線上に設けられた軸受け部４７を備え、各横フラップ３６Ａ、３６Ｂの中間部に設けた中間軸４８が、この軸受け部４７によって回動可能に支持される構成である。このように、各横フラップ３６Ａ、３６Ｂは、左右両端部と中間部が、同軸線上に設けられた軸受け部４４と４７によって支持されるため、上下方向の回動が支障なく行なえると共に、中間部が垂れ下がることも防止できる構成となる。
【００６３】
電動モータ３８と電動モータ３９は、リモートコントローラ６０の風向スイッチの操作によって制御できる。空気調和機１の電源が入った状態において、リモートコントローラ６０に設けた空気調和機１の運転・停止スイッチによるＯＮ操作によって、空気調和機１の運転が開始するが、上の組の横フラップ３６Ａも、下の組の横フラップ３６Ｂも、空気調和機１の運転停止状態では、待機状態、即ち閉じた状態にセットされるように、制御部３０Ａによって、電動モータ３８と電動モータ３９が制御される。また、縦フラップ３５は、空気調和機１の運転停止状態では、各フラップ３５は垂直に開いた状態にセットされるように、制御部３０Ａによって、電動モータ４０が制御される。
【００６４】
空気調和機１の電源が入った状態において、前記リモートコントローラ６０等の操作部に設けられた空気調和機１の運転・停止スイッチが操作されると、制御部３０Ａによって、電動モータ１２、室外機５０の圧縮機と熱交換用送風機５１等が始動し、空気調和機１が運転を開始する。この状態で各フラップ３６Ａ、３６Ｂは下向き状態（斜め下向き状態）に開く。この状態において、リモートコントローラ６０の上風向スイッチを１回操作するごとに、制御部３０Ａによって、電動モータ３８が所定回転して、各フラップ３６Ａが水平に回動して、空気の吹き出し方向を水平状態に変更する。
【００６５】
これは例えば、次のような動作によって達成される。即ち、上の組の横フラップ３６Ａにおいては、上風向スイッチを１回ＯＮ操作すると、上の組の電動モータ３８が正方向に所定回転して、各フラップ３６Ａが上方へ１ステップ動作して、空気の吹き出し方向を水平状態とする。次に上風向スイッチを１回ＯＮ操作すると、電動モータ３８が正方向に所定回転して、各フラップ３６Ａが上方へ１ステップ動作して、空気の吹き出し方向を上方（斜め上方）状態にする。次に上風向スイッチを１回ＯＮ操作すると、電動モータ３８が逆方向に所定回転して、各フラップ３６Ａが下方へ１ステップ動作し、空気の吹き出し方向を水平状態とする。更に上風向スイッチを１回ＯＮ操作すると、電動モータ３８が逆方向に所定回転して、各フラップ３６Ａが下方へ１ステップ動作して、空気の吹き出し方向を下向（斜め下方）状態にする。更に、上風向スイッチを１回ＯＮ操作すると、上の組の電動モータ３８が正方向に所定回転して、各フラップ３６Ａが上方へ１ステップ動作して、空気の吹き出し方向を水平状態とする。このように上風向スイッチのＯＮ操作ごとに風向を順次変更できる。
【００６６】
また、下の組の横フラップ３６Ｂにおいても同様であり、前記リモートコントローラ６０に設けた下風向スイッチを１回ＯＮ操作すると、下の組の電動モータ３９が正方向に所定回転して、各フラップ３６Ｂが上方へ１ステップ動作し、空気の吹き出し方向を水平状態とする。以後、上の組の横フラップ３６Ａと同様に、各フラップ３６Ｂが回動して空気の吹き出し方向を上方、水平、下方、水平状態となるように、順次変更できる。
【００６７】
なお、前記リモートコントローラ６０等の操作部に、全自動風向スイッチを設け、この全自動風向スイッチをＯＮすることによって、制御部３０Ａに設定したモードによって、電動モータ３８と３９が正方向回転と逆方向回転を繰り返して、各フラップ３６Ａと３６Ｂが上下方向に連続可動する状態によって、各種の吹出し方向を形成することもできる。即ち自動的に、フラップ３６Ａと３６Ｂが共に水平状態、上向き状態、水平状態、下向き状態へ順次動作させることができる。
【００６８】
また、他の方式として、上自動風向スイッチと下自動風向スイッチを前記リモートコントローラ６０等の操作部に設けることができる。この方式では、空気調和機１の運転開始によって、各フラップ３６Ａ、３６Ｂは下向き開状態（斜め下向き開状態）に開く。この状態で、下自動風向スイッチは操作せず、上自動風向スイッチのＯＮによって、フラップ３６Ａのみが水平状態、上向き状態、水平状態、下向き状態、水平状態、上向き状態となる動作の繰り返しを行なうようにさせることができる。この場合、フラップ３６Ｂは下向き開状態のままである。また、上自動風向スイッチは操作せず、下自動風向スイッチのＯＮによって、フラップ３６Ｂのみが水平状態、上向き状態、水平状態、下向き状態、水平状態、上向き状態となる動作の繰り返しを行なうようにさせることができる。この場合、フラップ３６Ａは下向き開状態のままである。
【００６９】
また、縦フラップ３５も、リモートコントローラ６０の左右風向スイッチのＯＮ操作ごとに、第３電動モータ４０が順次正回転と逆回転を行うことによって、一つの縦フラップ３５が左右に回動し、この回動に伴ってリンク機構４１を介して、他の全ての縦フラップ３５も同様に左右に回動し、縦フラップ３５が垂直に開いた状態、左方向き状態、垂直に開いた状態、右方向き状態を所定の順次で繰り返して、空気の横方向（左右方向）の吹き出し方向を変更できることとなる。
【００７０】
また、各横フラップ３６Ａ、３６Ｂは、リモートコントローラ６０に設けた空気調和機１の運転・停止スイッチの停止操作（運転状態でのＯＮ操作）によって、待機状態、即ち閉じた状態にセットされるように、制御部３０Ａによって、電動モータ３８、３９が制御される。また、各縦フラップ３５は、リモートコントローラ６０に設けた空気調和機１の運転・停止スイッチの停止操作（運転状態でのＯＮ操作）によって、待機状態、即ち、垂直に開いた状態にセットされるように、制御部３０Ａによって、電動モータ４０が制御される。
【００７１】
上部前面パネル１１Ｂの前壁１１Ｂ１の裏面には、発泡スチロール等の断熱材２６を貼着している。この断熱材２６は、空気吹き出し口４Ａの周囲の断熱材２６Ｂと、空気吹き出し口４Ａの下方の断熱材２６Ａとに分割された構成である。
【００７２】
下方の断熱材２６Ａの下端部には、裏側に付着する露をドレンパン２５に導くために、ドレンパン２５の上方に張り出すように庇部３１が一体形成されている。断熱材２６Ａの左右幅は、上部前面パネル１１Ｂの左右側壁１１Ｂ２に亘る長さを有しているため、この庇部３１も前面パネル１１Ｂの左右側壁１１Ｂ２に亘る範囲に形成されることとなる。
【００７３】
実施例２では、上記のように、ドレンパン２５が、上部前面パネル１１Ｂの下端部と下部前面パネル１１Ａの上端部の空間に進入した形態である。また、実施例２も実施例１と同様に、部品数の削減や組み立てのし易さ等を考慮して、ドレンパン２５は、ファンケーシング９の上端部に合成樹脂でもって、ファンケーシング９と共に一体成形している。ドレンパン２５の上面開口には、熱交換器５の下端部が対向し、熱交換器５の下端部に取り付けた支持部材３２がドレンパン２５内に進入して、熱交換器５に付着する露がドレンパン２５内に流入する仕組みである。そして、ドレンパン２５内に集められた露は、ドレンパン２５の一側部に設けた排水孔２５Ａに接続された排水パイプ（図示せず）から、空気調和機本体２の側面の孔１Ａを通って屋外に排水される。
【００７４】
下部前面パネル１１Ａは、空気吸い込み口３には吸い込み口フラップ１６を設けず、実施例１と同様のフィルタ３Ｆを裏側に着脱自在に取り付けるグリルが設けられた形態である。送風装置６や電装ボックス３０内の点検、修理、配線等を行ない易くするため、及び空気吸い込み口３の裏側に取り付けたフィルタ３Ｆの清掃や交換を行ない易くするために、空気調和機本体２に容易に取り外し可能な取り付け、または空気調和機本体２に開閉可能に支持されている。図示の形態では、下部前面パネル１１Ａは、図１４、図１５に示すように、下端部の支点機能の突起３３Ａが、空気調和機本体２のべース部に形成した孔に挿入支持されて、上部が前後方向に回動可能に支持しており、図１１に示すように開いた状態で持ち上げることによって、上方へ取り外せる構成である。また、下部前面パネル１１Ａは閉じた状態で、上部左右に設けた係止突起が空気調和機本体２のキャッチャ部３３Ｂに保持される構成である。なお、図３に示すように、空気調和機本体２内の底部に換気ユニット５５を設置した場合には、下部前面パネル１１Ａを開いた状態で、換気ユニット５５の点検や組み込まれたフィルタの交換や清掃を行なうことができる。
【００７５】
しかし、上部前面パネル１１Ｂは、熱交換器５と通過した空気が衝突した後、主として左右と上方へ分流させる役目をするため、空気通路の一部分を構成しているため、空気調和機本体２に所定の位置でネジでの固定、係止爪の係止等によって取り付けられており、頻繁に取り外しまたは開閉する構成ではないが、熱交換器５の点検等を行なう場合は、そのネジ等を外して空気調和機本体２から取り外し可能である。図示のものは、実施例１と同様に、上部前面パネル１１Ｂの左右側壁１１Ｂ２から後方へ延びた複数の係止爪１１Ｂ３が、空気調和機本体２の前面開口の左右フランジに形成した係止孔２Ａ１に挿入されてその下端に係止することによって、上部前面パネル１１Ｂが空気調和機本体２の前面開口の所定位置に取り付けられる構成である。
【００７６】
実施例２も実施例１と同様に、ドレンパン２５は、電装ボックス３０の上方にあって、下部前面パネル１１Ａの上端部に位置して、その前部が下部前面パネル１１Ａの前壁１１Ａ１と左右側壁１１Ａ２間で作る空間に進入するように、前方へ延びた状態である。このため、上部前面パネル１１Ｂを開いた（取り外した状態と開閉にて開いた状態のいずれも含む）で、ドレンパン２５の上面開口が空気調和機本体２の前面に露出する状態になるので、空気調和機本体２の前面からドレンパン２５の点検や清掃等を行い易い構成となっている。
【産業上の利用可能性】
【００７７】
本発明の空気調和機は、空気調和機１の形態等については、上記実施形態に限定されず、本発明の技術的範囲を逸脱しない限り、種々の空気調和機に適用できるものである。
【図面の簡単な説明】
【００７８】
【図１】本発明に係る床置き式空気調和機の正面図である。（実施例１）
【図２】本発明に係る床置き式空気調和機と室外機の関係を示す斜視図である。（実施例１）
【図３】本発明に係る床置き式空気調和機の空気吸い込み口と空気吹き出し口に設けた開閉フラップが開いた状態の説明用正面斜視図である。（実施例１）
【図４】図１のＡ−Ａ箇所の断面図である。（実施例１）
【図５】本発明に係る前面パネルを取り外した状態の空気調和機本体の前面斜視図である。（実施例１）
【図６】本発明に係る床置き式空気調和機の下部前面パネルを開いた状態の空気調和機の前面斜視図である。（実施例１）
【図７】本発明に係る床置き式空気調和機の送風装置と前面パネルの関係を示す背面斜視図である。（実施例１）
【図８】図１のＢ−Ｂ箇所の断面拡大図である。（実施例１）
【図９】本発明に係る床置き式空気調和機のドレンパン部分を説明する縦断側面図である。（実施例１）
【図１０】本発明に係る床置き式空気調和機の正面斜視図である。（実施例２）
【図１１】本発明に係る床置き式空気調和機の下部前面パネルを開いた状態の前面斜視図である。（実施例２）
【図１２】本発明に係る床置き式空気調和機の上部前面パネルの背面斜視図である。（実施例２）
【図１３】本発明に係る床置き式空気調和機の空気吹き出し口のフラップ構成を示す背面斜視図である。（実施例２）
【図１４】図１０のＣ−Ｃ箇所の縦断側面図である。（実施例２）
【図１５】本発明に係る床置き式空気調和機の送風装置と前面パネルの関係を示す背面斜視図である。（実施例２）
【図１６】図１０のＤ−Ｄ箇所の断面拡大図である。（実施例２）
【図１７】本発明に係る床置き式空気調和機のドレンパン部分を説明する縦断側面図である。（実施例２）
【符号の説明】
【００７９】
１・・・・・床置き式空気調和機
２・・・・・空気調和機本体
２Ａ・・・・前面開口
３・・・・・空気吸い込み口
４・・・・・空気吹き出し口
５・・・・・熱交換器
５Ａ・・・・板状フィン
５Ｂ・・・・冷媒パイプ
６・・・・・送風装置
７・・・・・空気入口
８・・・・・空気出口
９・・・・・ファンケーシング
１０・・・・シロッコファン
１１・・・・前面パネル
１１Ａ・・・下部前面パネル
１１Ｂ・・・上部前面パネル
１２・・・・電動モータ
１６・・・・吸い込み口フラップ
１７・・・・電動モータ
１８・・・・電動モータ
１９・・・・吹き出し口フラップ
２０・・・・吹き出し方向可変フラップ
２５・・・・ドレンパン
２６・・・・断熱材
２７・・・・制御部
２８・・・・制御パネル部
３０Ａ・・・制御部
３０・・・・電装ボックス
３１・・・・庇部
３５・・・・縦フラップ
３６・・・・横フラップ
３８・・・・電動モータ
３９・・・・電動モータ
５０・・・・室外機
６０・・・・リモートコントローラ
【図１】
2008175456.tif 000003
【図２】
2008175456.tif 000004
【図３】
2008175456.tif 000005
【図４】
2008175456.tif 000006
【図５】
2008175456.tif 000007
【図６】
2008175456.tif 000008
【図７】
2008175456.tif 000009
【図８】
2008175456.tif 000010
【図９】
2008175456.tif 000011
【図１０】
2008175456.tif 000012
【図１１】
2008175456.tif 000013
【図１２】
2008175456.tif 000014
【図１３】
2008175456.tif 000015
【図１４】
2008175456.tif 000016
【図１５】
2008175456.tif 000017
【図１６】
2008175456.tif 000018
【図１７】
2008175456.tif 000019